【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
コンピュータ実施の、飲料分配施設に価格推奨を行なう方法であって、
前記方法は、前記方法のステップを実行するようにプログラムされた飲料分配分析部によって実行され、前記ステップは、
少なくとも１つの飲料分配施設をモニタリングしかつ信号を生成する少なくとも１つの飲料分配センサから、前記少なくとも１つの飲料分配施設における飲料分配を示す信号を受信するステップと、
前記少なくとも１つの飲料分配施設における飲料消費の統計的パターンを計算するために前記信号を自動的に分析するステップと、
前記統計的パターンに応じて前記少なくとも１つの飲料分配施設向けに価格推奨プロファイルを自動的に生成するステップと、
前記価格推奨プロファイルを表示用として選択するステップと、
を含む、方法。
【請求項２】
前記価格推奨プロファイルは、１つの時間帯および１日以上の日のうちの少なくとも１つの範囲内での飲料の一時的な値下げを含む、
請求項１に記載の、コンピュータ実施の方法。
【請求項３】
前記自動的に分析するステップは、１つの飲料分配施設からの前記信号と他の少なくとも１つの飲料分配施設からの前記信号とを自動的に比較して前記価格推奨プロファイルを生成するステップをさらに含む、
請求項１に記載の、コンピュータ実施の方法。
【請求項４】
過去の飲料消費パターンに応じて未来の飲料消費パターンを自動的に予測するステップをさらに含む、
請求項１に記載の、コンピュータ実施の方法。
【請求項５】
前記方法は、前記価格推奨プロファイルが現在の飲料消費パターンに対応するように、ほぼリアルタイムで行なわれる、
請求項１に記載の、コンピュータ実施の方法。
【請求項６】
前記飲料分配施設内の客の人数を示す信号を受信し、客の前記人数に応じて前記価格推奨プロファイルを生成するステップをさらに含む、
請求項１に記載の、コンピュータ実施の方法。
【請求項７】
外部ソースからデータを受信し、前記外部ソースから受信した前記データに応じて前記価格推奨プロファイルを生成するステップをさらに含み、
前記外部ソースからの前記データは、現在の天気、天気予測、曜日、祝日、特別な行事のうちの１つ以上を含む、
請求項１に記載の、コンピュータ実施の方法。
【請求項８】
飲料消費に関連する目標プロファイルを受信し、前記目標プロファイルを考慮した前記価格推奨プロファイルを生成するステップをさらに含む、
請求項１に記載の、コンピュータ実施の方法。
【請求項９】
前記価格推奨プロファイルの実施中に飲料消費を自動的にモニタリングするステップと、
先行する価格推奨プロファイルの実施中にモニタリングされた飲料消費の効果に応じて、未来の価格推奨プロファイルを生成するステップとをさらに含む、
請求項１に記載の、コンピュータ実施の方法。
【請求項１０】
前記自動的に分析するステップは、前記少なくとも１つの飲料分配施設における少なくとも２種類の異なる飲料の飲料消費の統計的パターンを計算する前記信号を自動的に含み、
前記自動的に生成するステップは、第２の飲料が共食いされるように、前記統計的パターンに応じて前記飲料のうちの一方の価格推奨プロファイルを自動的に生成するステップを含む、
請求項１に記載の、コンピュータ実施の方法。
【請求項１１】
前記自動的に分析するステップは、分配パターンを約０．５リットルまたは約０．３リットルの標準的なビールグラスにクラスタリングするステップをさらに含む、
請求項１に記載の、コンピュータ実施の方法。
【請求項１２】
コンピュータ実施の、飲料の宣伝方法であって、
前記方法は、前記方法のステップを実行するようにプログラムされた飲料分配分析部によって実行され、前記ステップは、
複数の飲料分配施設をモニタリングしかつ信号を生成する少なくとも１つの飲料分配センサから、前記複数の飲料分配施設における飲料の分配を示す信号を受信するステップと、
前記複数の飲料分配施設における前記飲料の消費の統計的パターンを計算するために前記信号を自動的に分析するステップと、
前記統計的パターンに応じて前記飲料の飲料宣伝プロファイルを自動的に生成するステップと、
前記飲料宣伝プロファイルに応じた前記飲料に関連するプロモーションコンテンツを表示用として選択するステップと、
を含む、方法。
【請求項１３】
前記飲料宣伝プロファイルは、前記飲料の前記製造者によって生成され、飲料消費者に直接出力される、
請求項１２に記載の、コンピュータ実施の方法。
【請求項１４】
前記飲料宣伝プロファイルは、地理的な飲料消費パターンに応じて生成される、
請求項１２に記載の、コンピュータ実施の方法。
【請求項１５】
前記飲料宣伝プロファイルの実施を伴う場合および前記飲料宣伝プロファイルの実施を伴わない場合の飲料消費パターンの予測を生成し、リアルタイムの飲料消費データを分析し、前記飲料分配施設がいつ前記飲料宣伝プロファイルを実施していたかまたは実施していなかったかを判定するステップをさらに含む、
請求項１２に記載の、コンピュータ実施の方法。
【請求項１６】
コンピュータ実施の、飲料分配施設の飲料の品質のモニタリング方法であって、
前記方法は、前記方法のステップを実行するようにプログラムされた飲料分配分析部によって実行され、前記ステップは、
複数の飲料分配施設をモニタリングしかつ信号を生成する少なくとも１つの飲料分配センサから、前記複数の飲料分配施設において分配された飲料の品質関連イベントを示す信号を受信するステップと、
前記品質関連イベントに応じて前記複数の飲料分配施設における前記飲料の品質を判定するために前記信号を自動的に分析するステップと、
前記品質の指標を表示するステップと、
を含む、方法。
【請求項１７】
前記品質関連イベントは、飲料容器の交換を含み、前記品質指標は、前記交換される飲料容器が開封されていた時間を含む、
請求項１６に記載の、コンピュータ実施の方法。
【請求項１８】
前記飲料容器の前記交換は、前記飲料の色の変化によって検知される、
請求項１７に記載の、コンピュータ実施の方法。
【請求項１９】
前記品質関連イベントは、飲料容器の衛生処理メンテナンスの洗浄パターンを含み、前記品質指標は、メンテナンス洗浄スケジュールと比較して検知された前記洗浄パターンを含む、
請求項１７に記載の、コンピュータ実施の方法。
【請求項２０】
前記品質指標は、前記検知されたイベントに応じて計算された品質スコアであり、したがって、前記品質スコアは、前記飲料の品質ランクを示す、
請求項１６に記載の、コンピュータ実施の方法。
【請求項２１】
飲料分配施設において分配された飲料を分析するためのシステムであって、
１種類以上の飲料の分配を示す信号を生成するための少なくとも１つの飲料分配センサであって、複数の飲料分配施設のそれぞれが少なくとも１つを有するものである、飲料分配センサと、
前記飲料分配施設のそれぞれの内に設置された前記飲料分配センサと電気的に通信し、前記生成した信号をネットワーク上での伝送に適した形式に変換するようにプログラムされた、複数の第１ハードウェア処理装置と、
通信ネットワーク上で前記信号を伝送するための複数のネットワークインターフェイスであって、前記複数のネットワークインターフェイスは、それぞれ、前記第１ハードウェア処理装置のそれぞれと電気的に通信する、ネットワークインターフェイスと、
前記第１ハードウェア処理装置から送信された前記信号を受信するために、前記通信ネットワークと電気的に通信する第２ハードウェア処理装置と、
前記第２ハードウェア処理装置による命令実行のためのプログラムモジュールを格納した非一時的メモリであって、
前記生成された信号を分析して前記複数の飲料分配施設における前記１種類以上の飲料の消費について示す統計的データを生成するためのモジュールを含む、
非一時的メモリと、
を含む、システム。
【請求項２２】
前記飲料分配センサは、飲料容器とタップとを接続する飲料分配チューブを通る流体の流れを計測するための流体センサである、
請求項２１に記載のシステム。
【請求項２３】
前記飲料分配施設のうちの少なくとも１つの飲料分配施設内の客の推定人数を示す信号を生成するための少なくとも１つの人数計数センサと、客の前記人数に応じて消費パターンを分析するためのモジュールと、をさらに含む、
請求項２１に記載のシステム。
【請求項２４】
ビールタップ上に適合するサイズおよび形状の付属部品を有し、前記第２ハードウェア処理装置によって生成された前記統計的データを表示するために前記第２ハードウェア処理装置と電気的に通信する画面をさらに含む、
請求項２１に記載のシステム。